(57)【要約】【課題】ヒートシンクの放熱効果を高めることができる照明装置を提供する。【解決手段】ＬＥＤ１６及びＬＥＤ１６からの熱を放熱するヒートシンク２０を有する照明モジュール６と、照明モジュール６を取り付けるための枠体４と、照明モジュール６からの熱を放熱するための第１の空間７６を形成するスペーサ７８と、を備える。【選択図】図１
2014175185.tif 000002
【特許請求の範囲】
【請求項１】
発光素子及び前記発光素子からの熱を放熱するヒートシンクを有する照明モジュールと、
前記照明モジュールを取り付けるための枠体と、
前記照明モジュールからの熱を放熱するための第１の空間を形成する空間形成部材と、を備える
照明装置。
【請求項２】
前記ヒートシンクは、間隔を置いて配置された複数の第１の放熱フィンを有し、
前記複数の第１の放熱フィンの各々の間は、前記第１の空間に連通している
請求項１に記載の照明装置。
【請求項３】
前記照明モジュールは、前記枠体の内側に複数個並んで配置されており、
前記空間形成部材は、前記複数の照明モジュールのうち少なくとも隣接する一対の照明モジュールの各々の前記ヒートシンクの間に介在されるスペーサであり、
前記スペーサにより前記一対の照明モジュールの間に前記第１の空間が形成される
請求項１又は２に記載の照明装置。
【請求項４】
前記スペーサの一端部にはボス部が設けられ、
前記ボス部は、前記一対の照明モジュールの一方の前記ヒートシンクに設けられた凹部に挿入され、
前記スペーサの他端部は、前記一対の照明モジュールの他方の前記ヒートシンクに接触している
請求項３に記載の照明装置。
【請求項５】
前記空間形成部材は、前記枠体と前記照明モジュールの前記ヒートシンクとの間に介在されるスペーサであり、
前記スペーサにより前記枠体と前記照明モジュールとの間に前記第１の空間が形成される
請求項１又は２に記載の照明装置。
【請求項６】
前記照明モジュールは、前記枠体の内側に複数個並んで配置されており、
さらに、前記枠体に設けられ、且つ、前記複数の照明モジュールのうち少なくとも隣接する一対の照明モジュールの各々を支持する支持部材を備え、
前記空間形成部材は、前記支持部材に設けられ、且つ、前記一対の照明モジュールの間に前記第１の空間が形成されるように前記一対の照明モジュールの各々を位置決めするためのブラケットである
請求項１又は２に記載の照明装置。
【請求項７】
さらに、前記一対の照明モジュールの各々を前記支持部材に締結する複数の締結部材を備え、
前記ブラケットには、前記複数の締結部材の各々が挿入される複数の貫通孔が設けられており、
前記複数の貫通孔は、前記一対の照明モジュールの間に前記第１の空間が形成されるように、間隔を置いて配置されている
請求項６に記載の照明装置。
【請求項８】
前記一対の照明モジュールの各々の前記ヒートシンクは、前記支持部材に熱伝達可能に支持されており、
前記支持部材には、当該ヒートシンクからの熱を放熱する第２の放熱フィンが設けられている
請求項６又は７に記載の照明装置。
【請求項９】
前記一対の照明モジュールの配置方向において、前記一対の照明モジュールの少なくとも一方の一端部と前記枠体との間には、前記一対の照明モジュールの各々からの熱を放熱するための第２の空間が形成されている
請求項３，４，６，７，８のいずれか１項に記載の照明装置。
【請求項１０】
前記一対の照明モジュールの配置方向において、前記一対の照明モジュールの少なくとも一方の前記ヒートシンクの一端部の一部は、前記枠体に熱伝達可能に接触している
請求項９に記載の照明装置。
【請求項１１】
前記一対の照明モジュールの配置方向に対して略直交する方向において、前記一対の照明モジュールの各々の前記ヒートシンクの一端部は、前記枠体に熱伝達可能に接触している
請求項３，４，６，７，８のいずれか１項に記載の照明装置。
【発明の詳細な説明】
【技術分野】
【０００１】
本発明は、例えばトンネル内等を照明するための照明装置に関する。
【背景技術】
【０００２】
例えばトンネル内等を照明するための照明装置は、筐体と、筐体に収納された照明ユニットと、を備えている（例えば、特許文献１参照）。照明ユニットは、ＬＥＤ（Ｌｉｇｈｔ  Ｅｍｉｔｔｉｎｇ  Ｄｉｏｄｅ）、配線基板及びヒートシンクを備えている。ＬＥＤは、配線基板に実装されている。配線基板は、例えばアルミニウム等で形成され、ヒートシンクに取り付けられている。
【０００３】
ＬＥＤの発光に伴って発生する熱は、配線基板を介してヒートシンクに伝達され、ヒートシンクから空気中に放熱される。
【先行技術文献】
【特許文献】
【０００４】
【特許文献１】実用新案登録第３１５２３８１号公報
【発明の概要】
【発明が解決しようとする課題】
【０００５】
しかしながら、上述した従来の照明装置では、次のような課題が生じる。照明ユニットは筐体に収納されているので、ヒートシンクに伝達された熱は、筐体の内部にこもりやすい。そのため、ヒートシンクの放熱効果が低下してしまうという課題が生じる。
【０００６】
本発明は、上述した課題を解決しようとするものであり、その目的は、ヒートシンクの放熱効果を高めることができる照明装置を提供することである。
【課題を解決するための手段】
【０００７】
上記目的を達成するために、本発明の一態様に係る照明装置は、発光素子及び前記発光素子からの熱を放熱するヒートシンクを有する照明モジュールと、前記照明モジュールを取り付けるための枠体と、前記照明モジュールからの熱を放熱するための第１の空間を形成する空間形成部材と、を備える。
【０００８】
本態様によれば、空間形成部材によって、照明モジュールからの熱を放熱するための第１の空間が形成されている。これにより、照明モジュールから放熱された熱は、第１の空間を通して照明装置の外部に排出される。その結果、照明装置の内部の通気性が良くなり、照明モジュールのヒートシンクの放熱効果を高めることができる。
【０００９】
例えば、本発明の一態様に係る照明装置において、前記ヒートシンクは、間隔を置いて配置された複数の第１の放熱フィンを有し、前記複数の第１の放熱フィンの各々の間は、前記第１の空間に連通しているように構成してもよい。
【００１０】
本態様によれば、複数の第１の放熱フィンの各々の間は、第１の空間に連通しているので、第１の空間を通して照明装置の内部に流入した外部の空気は、複数の第１の放熱フィンの各々の間に流れ込む。これにより、ヒートシンクの放熱効果をより一層高めることができる。
【００１１】
例えば、本発明の一態様に係る照明装置において、前記照明モジュールは、前記枠体の内側に複数個並んで配置されており、前記空間形成部材は、前記複数の照明モジュールのうち少なくとも隣接する一対の照明モジュールの各々の前記ヒートシンクの間に介在されるスペーサであり、前記スペーサにより前記一対の照明モジュールの間に前記第１の空間が形成されるように構成してもよい。
【００１２】
本態様によれば、一対の照明モジュールの各々のヒートシンクの間にスペーサを介在させることにより、一対の照明モジュールの間に第１の空間を容易に形成することができる。
【００１３】
例えば、本発明の一態様に係る照明装置において、前記スペーサの一端部にはボス部が設けられ、前記ボス部は、前記一対の照明モジュールの一方の前記ヒートシンクに設けられた凹部に挿入され、前記スペーサの他端部は、前記一対の照明モジュールの他方の前記ヒートシンクに接触しているように構成してもよい。
【００１４】
本態様によれば、スペーサのボス部をヒートシンクに設けられた凹部に挿入することにより、一対の照明モジュールの各々のヒートシンクの間にスペーサを容易に介在させることができる。
【００１５】
例えば、本発明の一態様に係る照明装置において、前記空間形成部材は、前記枠体と前記照明モジュールの前記ヒートシンクとの間に介在されるスペーサであり、前記スペーサにより前記枠体と前記照明モジュールとの間に前記第１の空間が形成されるように構成してもよい。
【００１６】
本態様によれば、枠体と照明モジュールのヒートシンクとの間にスペーサを介在させることにより、枠体と照明モジュールとの間に第１の空間を容易に形成することができる。
【００１７】
例えば、本発明の一態様に係る照明装置において、前記照明モジュールは、前記枠体の内側に複数個並んで配置されており、さらに、前記枠体に設けられ、且つ、前記複数の照明モジュールのうち少なくとも隣接する一対の照明モジュールの各々を支持する支持部材を備え、前記空間形成部材は、前記支持部材に設けられ、且つ、前記一対の照明モジュールの間に前記第１の空間が形成されるように前記一対の照明モジュールの各々を位置決めするためのブラケットであるように構成してもよい。
【００１８】
本態様によれば、支持部材に設けられたブラケットによって一対の照明モジュールの各々を位置決めすることにより、一対の照明モジュールの間に第１の空間を容易に形成することができる。
【００１９】
例えば、本発明の一態様に係る照明装置において、さらに、前記一対の照明モジュールの各々を前記支持部材に締結する複数の締結部材を備え、前記ブラケットには、前記複数の締結部材の各々が挿入される複数の貫通孔が設けられており、前記複数の貫通孔は、前記一対の照明モジュールの間に前記第１の空間が形成されるように、間隔を置いて配置されているように構成してもよい。
【００２０】
本態様によれば、ブラケットの複数の貫通孔の各々に挿入された締結部材によって、一対の照明モジュールの各々を支持部材に締結することにより、一対の照明モジュールの各々を容易に位置決めすることができる。
【００２１】
例えば、本発明の一態様に係る照明装置において、前記一対の照明モジュールの各々の前記ヒートシンクは、前記支持部材に熱伝達可能に支持されており、前記支持部材には、当該ヒートシンクからの熱を放熱する第２の放熱フィンが設けられているように構成してもよい。
【００２２】
本態様によれば、支持部材には第２の放熱フィンが設けられているので、ヒートシンクからの熱を第２の放熱フィンにより放熱させることができる。これにより、ヒートシンクの放熱効果をより一層高めることができる。
【００２３】
例えば、本発明の一態様に係る照明装置において、前記一対の照明モジュールの配置方向において、前記一対の照明モジュールの少なくとも一方の一端部と前記枠体との間には、前記一対の照明モジュールの各々からの熱を放熱するための第２の空間が形成されているように構成してもよい。
【００２４】
本態様によれば、一対の照明モジュールの配置方向において、一対の照明モジュールの少なくとも一方の一端部と枠体との間には、第２の空間が形成されている。これにより、一対の照明モジュールの各々のヒートシンクから放熱された熱は、第１の空間及び第２の空間を通して照明装置の外部に排出される。その結果、ヒートシンクの放熱効果をより一層高めることができる。
【００２５】
例えば、本発明の一態様に係る照明装置において、前記一対の照明モジュールの配置方向において、前記一対の照明モジュールの少なくとも一方の前記ヒートシンクの一端部の一部は、前記枠体に熱伝達可能に接触しているように構成してもよい。
【００２６】
本態様によれば、一対の照明モジュールの配置方向において、一対の照明モジュールの少なくとも一方のヒートシンクの一端部の一部は、枠体に熱伝達可能に接触しているので、ヒートシンクからの熱を筐体により放熱させることができる。これにより、ヒートシンクの放熱効果をより一層高めることができる。
【００２７】
例えば、本発明の一態様に係る照明装置において、前記一対の照明モジュールの配置方向に対して略直交する方向において、前記一対の照明モジュールの各々の前記ヒートシンクの一端部は、前記枠体に熱伝達可能に接触しているように構成してもよい。
【００２８】
本態様によれば、一対の照明モジュールの配置方向に対して略直交する方向において、一対の照明モジュールの各々のヒートシンクの一端部は、枠体に熱伝達可能に接触しているので、ヒートシンクからの熱を筐体により放熱させることができる。これにより、ヒートシンクの放熱効果をより一層高めることができる。
【発明の効果】
【００２９】
本発明の一態様に係る照明装置によれば、ヒートシンクの放熱効果を高めることができる。
【図面の簡単な説明】
【００３０】
【図１】実施の形態１に係る照明装置の正面側を示す図である。
【図２】実施の形態１に係る照明装置の背面側を示す斜視図である。
【図３】図１中のＡ−Ａ線により切断した照明モジュールの断面図である。
【図４】照明モジュールの一部を分解した状態を示す斜視図である。
【図５】図１中のＢ−Ｂ線により切断した照明装置の要部断面図である。
【図６】図５の一部を拡大して示す要部断面図である。
【図７】図５中のＣ−Ｃ線により切断した照明装置の要部断面図である。
【図８】実施の形態２に係る照明装置の要部断面斜視図である。
【図９】照明モジュールの支持部材への取付構造を示す斜視図である。
【図１０】実施の形態３に係る照明装置の照明モジュールの断面図である。
【図１１】実施の形態４に係る照明装置の照明モジュールの断面図である。
【図１２】実施の形態５に係る照明装置の照明モジュールの断面図である。
【発明を実施するための形態】
【００３１】
以下、実施の形態に係る照明装置について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３２】
（実施の形態１）
［照明装置の全体構成］
まず、図１及び図２を参照しながら、実施の形態１に係る照明装置の全体構成について説明する。図１は、実施の形態１に係る照明装置の正面側を示す図である。図２は、実施の形態１に係る照明装置の背面側を示す斜視図である。
【００３３】
図１及び図２に示すように、照明装置２は、枠体４及び複数（本実施の形態では４個）の照明モジュール６を備えている。本実施の形態の照明装置２は、例えば、トンネル内を照明するための照明装置である。
【００３４】
枠体４は、複数の照明モジュール６を支持するためのものである。枠体４は、４個の枠部材４ａ〜４ｄが略矩形状に組み合わされることにより構成されている。一対の枠部材４ａ，４ｂは、所定方向（すなわち、図１における上下方向）に相互に対向して配置されている。一対の枠部材４ｃ，４ｄは、上記所定方向に対して略直交する方向（すなわち、図１における左右方向）に相互に対向して配置されている。４個の枠部材４ａ〜４ｄはそれぞれ、例えばアルミニウム等で形成されている。
【００３５】
枠部材４ａには、照明装置２の背面側に向けて延びる支持アーム８が取り付けられている。支持アーム８には、複数の照明モジュール６の各々に点灯電力を供給するための電源装置１０が支持されている。さらに、一対の枠部材４ｃ，４ｄには、照明装置２の背面側に向けて延びる取付ハンドル１２が取り付けられている。取付ハンドル１２には、ボルト（図示せず）を挿入するための一対の貫通孔１４が設けられている。ボルトが取付ハンドル１２の一対の貫通孔１４の各々を通してトンネル内の壁面等に締結されることにより、照明装置２がトンネル内の壁面等に取り付けられる。
【００３６】
複数の照明モジュール６の各々は、照明装置２の外部（例えばトンネル内）に向けて光を照射するためのものである。複数の照明モジュール６は、枠体４の内側に、例えば２行２列に並んで配置されている。複数の照明モジュール６の各々の構成及び枠体４への取付構造については、後述する。
【００３７】
［照明モジュールの構成］
次に、図３及び図４をも参照しながら、複数の照明モジュール６の各々の構成について説明する。図３は、図１中のＡ−Ａ線により切断した照明モジュールの断面図である。図４は、照明モジュールの一部を分解した状態を示す斜視図である。なお、複数の照明モジュール６の各々の構成は同一であるため、以下では、複数の照明モジュール６のうち一つの照明モジュール６の構成について説明する。
【００３８】
図３及び図４に示すように、照明モジュール６は、複数のＬＥＤ１６（複数のＬＥＤ１６の各々は発光素子を構成する）、配線基板１８、ヒートシンク２０、防塵カバー部材２２及びレンズカバー部材２４を有している。
【００３９】
複数のＬＥＤ１６の各々は、チップ型のＬＥＤである。複数のＬＥＤ１６の各々は、配線基板１８に実装されている。なお、配線基板１８は、例えばアルミニウム等で形成されている。
【００４０】
ヒートシンク２０は、平板状の取付部２６と、取付部２６の裏面から略垂直に延びる複数の放熱フィン２８（複数の放熱フィン２８の各々は第１の放熱フィンを構成する）と、を有している。なお、ヒートシンク２０は、例えばアルミニウム等の放熱性の高い金属で形成されている。
【００４１】
取付部２６の表面には、複数のネジ３０により配線基板１８が熱伝達可能に取り付けられている。なお、本願明細書において、「熱伝達可能に」とは、熱を十分に伝達可能なようにという意味であり、「熱伝達可能に接触」とは、直接的に接触する場合だけでなく、熱伝導部材等を介して間接的に接触する場合をも含む概念である。取付部２６の四隅にはそれぞれ、ボルト６２（後述する）を挿入するための貫通孔３２が設けられている。取付部２６の外周部には、ネジ５０（後述する）をネジ止めするためのネジ孔３４が複数設けられている。さらに、取付部２６には、防水ソケット３６を取り付けるための貫通孔３８が設けられている。防水ソケット３６の先端部から延びる一対のリード線４０の各々は、配線基板１８上の電極端子（図示せず）に電気的に接続されている。なお、図２に示すように、防水ソケット３６は、ケーブル４２を介して上述した電源装置１０に電気的に接続されている。
【００４２】
複数の放熱フィン２８は、上記所定方向に対して略直交する方向（すなわち、上記所定方向に対して交差する方向）に間隔を置いて配置されている。複数の放熱フィン２８の上記所定方向における両端部にはそれぞれ、一対の凹部４４が設けられている。一対の凹部４４の各々は、最も外側に配置された放熱フィン２８と、最も外側から１つ内側に配置された放熱フィン２８との間に設けられている。さらに、一対の凹部４４の各々は、上記所定方向に沿って延びている。一対の凹部４４の各々の機能については、後述する。
【００４３】
防塵カバー部材２２は、複数の放熱フィン２８の各々の先端部を覆うようにして、最も外側に配置された一対の放熱フィン２８にそれぞれ取り付けられている。防塵カバー部材２２には、複数の通気孔４６が設けられている。この防塵カバー部材２２は、複数の放熱フィン２８の各々の間に塵埃等が入り込むのを防止するためのものである。なお、防塵カバー部材２２は、例えばアルミニウム等で形成されている。
【００４４】
レンズカバー部材２４は、水滴等がレンズカバー部材２４の内側に浸入するのを防止する防水機能と、複数のＬＥＤ１６の各々からの光の配光角（すなわち、光の広がる角度）を制御する光学機能と、を有している。レンズカバー部材２４の外周部には、上述した取付部２６の複数のネジ孔３４に対応して、複数の貫通孔４８が設けられている。複数のネジ５０の各々は、貫通孔４８を通してネジ孔３４にネジ止めされている。これにより、レンズカバー部材２４は、配線基板１８を覆うようにしてヒートシンク２０の取付部２６の表面に取り付けられている。なお、レンズカバー部材２４は、例えば透光性を有する樹脂等で形成されている。
【００４５】
ここで、レンズカバー部材２４の上記防水機能について説明する。図１及び図３に示すように、レンズカバー部材２４の裏面側には、レンズカバー部材２４の外周部の全周に渡ってシール部材５２が取り付けられている。このシール部材５２により、レンズカバー部材２４の外周部において、レンズカバー部材２４と取付部２６との間の隙間がシールされる。
【００４６】
次に、レンズカバー部材２４の上記光学機能について説明する。レンズカバー部材２４には、複数のＬＥＤ１６に対応して、複数のレンズ部５４が設けられている。図３に示すように、複数のレンズ部５４の各々は、対応するＬＥＤ１６の発光面に近接して配置されている。複数のＬＥＤ１６の各々からの光は、対応するレンズ部５４を通過する。このとき、複数のＬＥＤ１６の各々からの光の配光角は、対応するレンズ部５４によって制御される。
【００４７】
なお、レンズカバー部材２４の裏面には、防水ソケット３６の先端部及び一対のリード線４０を収納するための収納凹部５６が設けられている。
【００４８】
［照明モジュールの枠体への取付構造］
次に、図５〜図７をも参照しながら、複数の照明モジュール６の各々の枠体４への取付構造について説明する。図５は、図１中のＢ−Ｂ線により切断した照明装置の要部断面図である。図６は、図５の一部を拡大して示す要部断面図である。図７は、図５中のＣ−Ｃ線により切断した照明装置の要部断面図である。
【００４９】
図２及び図４〜図６に示すように、枠体４には、複数の照明モジュール６の各々を支持する支持部材５８が設けられている。支持部材５８は、上記所定方向に沿って長尺状に延びている。支持部材５８の一端部は、枠部材４ａに取り付けられ、支持部材５８の他端部は、枠部材４ｂに取り付けられている。支持部材５８の表面側（すなわち、照明装置２の正面側）には、上記所定方向に沿って延びる一対のレール６０ａ，６０ｂが設けられている。一対のレール６０ａ，６０ｂは、上記所定方向に対して略直交する方向に間隔を置いて配置されている。一対のレール６０ａ，６０ｂの各々には、４個のボルト６２（４個のボルト６２の各々は締結部材を構成する）が移動自在に装着されている。具体的には、４個のボルト６２の各々の頭部６２ａが一対のレール６０ａ，６０ｂの各々の開口された端部から挿入されることにより、４個のボルト６２の各々の軸部６２ｂが一対のレール６０ａ，６０ｂの各々から突出している。支持部材５８の裏面側（すなわち、照明装置２の背面側）には、複数の放熱フィン６４（複数の放熱フィン６４の各々は第２の放熱フィンを構成する）が設けられている。複数の放熱フィン６４の各々は、上記所定方向に沿って延びている。なお、支持部材５８は、例えばアルミニウム等で形成されている。
【００５０】
さらに、図５及び図６に示すように、枠体４には、一対の支持部６６，６８が設けられている。支持部６６は枠部材４ｃの内側面に設けられ、支持部６８は枠部材４ｄの内側面に設けられている。一対の支持部６６，６８の各々は、上記所定方向に沿って長尺状に延びている。一対の支持部６６，６８にはそれぞれ、上記所定方向に沿って延びるレール７０，７２が設けられている。一対のレール７０，７２の各々には、４個のボルト６２が移動自在に装着されている。上述と同様に、４個のボルト６２の各々の頭部６２ａが一対のレール７０，７２の各々の開口された端部から挿入されることにより、４個のボルト６２の各々の軸部６２ｂが一対のレール７０，７２の各々から突出している。なお、一対の支持部６６，６８は、例えばアルミニウム等で形成されている。
【００５１】
図４〜図６に示すように、ヒートシンク２０の取付部２６の一端部（すなわち、上記所定方向に対して略直交する方向における一端部）に設けられた一対の貫通孔３２の各々には、支持部材５８のレール６０ａ（又はレール６０ｂ）に装着されたボルト６２の軸部６２ｂが挿入されている。当該ボルト６２の軸部６２ｂにナットキャップ７４が締結されることにより、取付部２６の一端部は、支持部材５８に締結されている。これにより、取付部２６の一端部は、支持部材５８に熱伝達可能に接触している。
【００５２】
なお、ボルト６２の頭部６２ａの形状は例えば六角形状であるので、ナットキャップ７４をボルト６２の軸部６２ｂに締結した際に、ボルト６２がナットキャップ７４の締付方向に供回りしようとする。このとき、ボルト６２の頭部６２ａがレール６０ａ（又はレール６０ｂ）の内面に当たることにより、ボルト６２の供回りが阻止される。
【００５３】
さらに、図５及び図６に示すように、ヒートシンク２０の取付部２６の他端部（すなわち、上記一対の照明モジュール６の配置方向に対して略直交する方向における他端部）に設けられた一対の貫通孔３２の各々には、支持部６６のレール７０（又は支持部６８のレール７２）に装着されたボルト６２の軸部６２ｂが挿入されている。当該ボルト６２の軸部６２ｂにナットキャップ７４が締結されることにより、取付部２６の他端部は、支持部６６（又は支持部６８）に締結されている。これにより、取付部２６の他端部は、枠部材４ｃ（又は枠部材４ｄ）に熱伝達可能に接触している。
【００５４】
上述したようにして、複数の照明モジュール６の各々は、枠体４に取り付けられる。ここで、本実施の形態の照明装置２の特徴的な構成について説明する。図１及び図７に示すように、複数の照明モジュール６のうち、上記所定方向に隣接して配置された一対の照明モジュール６の間には、一対の照明モジュール６の各々のヒートシンク２０に伝達された熱を放熱するための第１の空間７６が形成されている。この第１の空間７６は、上記一対の照明モジュール６の各々のヒートシンク２０の間に介在された一対のスペーサ７８（一対のスペーサ７８の各々は空間形成部材を構成する）によって形成されている。
【００５５】
一対のスペーサ７８の各々の形状は、例えば略円柱形状である。スペーサ７８の一端部には、ボス部７８ａが設けられている。ボス部７８ａは、上記一対の照明モジュール６の一方のヒートシンク２０に設けられた凹部４４に挿入されている。スペーサ７８の他端部（すなわち、上記一端部とは反対側の端部）は、上記一対の照明モジュール６の他方のヒートシンク２０に設けられた凹部４４の開口縁部に接触している。これにより、一対のスペーサ７８は、上記一対の照明モジュール６の各々のヒートシンク２０の間に介在される。
【００５６】
さらに、図７に示すように、上記一対の照明モジュール６の各々の上記所定方向（すなわち、上記一対の照明モジュール６の配置方向）における一端部と枠部材４ａ（又は枠部材４ｂ）との間には、上記一対の照明モジュール６の各々のヒートシンク２０に伝達された熱を放熱するための第２の空間８０が形成されている。なお、上記一対の照明モジュール６の各々のヒートシンク２０の上記所定方向における一端部の一部は、枠部材４ａ（又は枠部材４ｂ）に熱伝達可能に接触している。
【００５７】
［効果］
次に、本実施の形態の照明装置２により得られる効果について説明する。複数のＬＥＤ１６の各々の発光に伴って発生する熱は、配線基板１８を介してヒートシンク２０に伝達され、ヒートシンク２０から空気中に放熱される。
【００５８】
上述したように、複数の照明モジュール６が枠体４の内側に並んで配置され、上記所定方向に並んで配置された一対の照明モジュール６の間には第１の空間７６が形成されている。これにより、複数の照明モジュール６の各々のヒートシンク２０から放熱された熱は、図７中の矢印で示すように、第１の空間７６を通して照明装置２の外部に排出される。その結果、照明装置２の内部の通気性が良くなり、ヒートシンク２０の放熱効果を高めることができる。
【００５９】
さらに、上述したように、上記一対の照明モジュール６の各々の上記所定方向における一端部と枠体４との間には、上記一対の照明モジュール６の各々のヒートシンク２０に伝達された熱を放熱するための第２の空間８０が形成されている。これにより、複数の照明モジュール６の各々のヒートシンク２０から放熱された熱は、第１の空間７６だけでなく第２の空間８０をも通して照明装置２の外部に排出される。その結果、ヒートシンク２０の放熱効果をより一層高めることができる。
【００６０】
なお、ヒートシンク２０の複数の放熱フィン２８は、上記所定方向に対して略直交する方向に間隔を置いて配置されているので、複数の放熱フィン２８の間に形成される空間は、第１の空間７６及び第２の空間８０にそれぞれ連通している。これにより、第１の空間７６及び第２の空間８０を通して照明装置２の内部に流入した外部の空気は、複数の放熱フィン２８の各々の間に流れ込む。その結果、ヒートシンク２０の放熱効果をより一層高めることができる。
【００６１】
さらに、上述したように、上記一対の照明モジュール６の各々のヒートシンク２０の上記所定方向に対して略直交する方向における他端部は、枠部材４ｃ（又は枠部材４ｄ）に熱伝達可能に接触している。また、上記一対の照明モジュール６の各々のヒートシンク２０の上記所定方向における一端部の一部は、枠部材４ａ（又は枠部材４ｂ）に熱伝達可能に接触している。これにより、複数の照明モジュール６の各々のヒートシンク２０からの熱は、枠体４に伝達され、枠体４から空気中に放熱される。その結果、ヒートシンク２０の放熱効果をより一層高めることができる。
【００６２】
さらに、上記一対の照明モジュール６の各々のヒートシンク２０の上記所定方向に対して略直交する方向における一端部は、支持部材５８に熱伝達可能に接触している。支持部材５８に伝達された熱は、支持部材５８に設けられた複数の放熱フィン６４から空気中に放熱される。その結果、ヒートシンク２０の放熱効果をより一層高めることができる。
【００６３】
（実施の形態２）
次に、図８及び図９を参照しながら、実施の形態２に係る照明装置について説明する。図８は、実施の形態２に係る照明装置の要部断面斜視図である。図９は、照明モジュールの支持部材への取付構造を示す斜視図である。なお、本実施の形態では、上記実施の形態１と同一の構成要素には同一の符号を付して、その説明を省略する。
【００６４】
図８及び図９に示すように、本実施の形態の照明装置２Ａでは、第１の空間７６は、支持部材５８に設けられたブラケット８２（空間形成部材を構成する）によって形成されている。ブラケット８２は、長尺状の薄板で構成され、支持部材５８に設けられた一対のレール６０ａ，６０ｂにそれぞれ挿入されている。ブラケット８２には、レール６０ａ（又はレール６０ｂ）に装着された４個のボルト６２の各々の軸部６２ｂを挿入するための貫通孔８４が４個設けられている。これら４個の貫通孔８４は、上記一対の照明モジュール６の間に第１の空間７６が形成されるように、間隔を置いて配置されている。
【００６５】
ヒートシンク２０の取付部２６の一端部（すなわち、上記所定方向に対して略直交する方向における一端部）に設けられた一対の貫通孔３２の各々には、ブラケット８２に挿入されたボルト６２の軸部６２ｂが挿入されている。当該ボルト６２の軸部６２ｂにナットキャップ７４が締結されることにより、上記所定方向に並んで配置された一対の照明モジュール６の間に第１の空間７６が形成されるように、上記一対の照明モジュール６の各々が位置決めされる。
【００６６】
なお、本実施の形態では、ブラケット８２に貫通孔８４を４個設けたが、貫通孔８４の個数は、ボルト６２の数に応じて適宜設定することができる。また、本実施の形態では、一対のレール６０ａ，６０ｂにそれぞれ１個のブラケット８２を挿入したが、上記一対の照明モジュール６の各々に対応して、一対のレール６０ａ，６０ｂにそれぞれ２個のブラケット８２を挿入することもできる。この場合には、２個の支持部材５８の各々には貫通孔８４が２個ずつ設けられる。
【００６７】
（実施の形態３）
次に、図１０を参照しながら、実施の形態３に係る照明装置について説明する。図１０は、実施の形態３に係る照明装置の照明モジュールの断面図である。
【００６８】
図１０に示すように、本実施の形態の照明装置の照明モジュール６Ｂでは、凹部４４は、中央部に配置された一対の放熱フィン２８の間に設けられている。これにより、隣接する一対の照明モジュール６の各々のヒートシンク２０Ｂの間には、１個のスペーサ７８が介在される。このような構成であっても、上記実施の形態１と同様の効果を得ることができる。
【００６９】
（実施の形態４）
次に、図１１を参照しながら、実施の形態４に係る照明装置について説明する。図１１は、実施の形態４に係る照明装置の照明モジュールの断面図である。
【００７０】
図１１に示すように、本実施の形態の照明装置の照明モジュール６Ｃでは、凹部４４は、最も外側に配置された放熱フィン２８と最も外側から１つ内側に配置された放熱フィン２８との間に設けられているとともに、中央部に配置された一対の放熱フィン２８の間に設けられている。これにより、隣接する一対の照明モジュール６のヒートシンク２０Ｃの間には、３個のスペーサ７８が介在される。このような構成であっても、上記実施の形態１と同様の効果を得ることができる。
【００７１】
（実施の形態５）
次に、図１２を参照しながら、実施の形態５に係る照明装置について説明する。図１２は、実施の形態５に係る照明装置の照明モジュールの断面図である。
【００７２】
図１２に示すように、本実施の形態の照明装置の照明モジュール６Ｄでは、凹部４４Ｄは、ヒートシンク２０Ｄの取付部２６の側面に設けられている。この凹部４４Ｄにスペーサ７８が取り付けられることにより、スペーサ７８は、照明モジュール６Ｄと枠体４との間に介在される。これにより、照明モジュール６Ｄと枠体４との間には、第１の空間８６が形成される。このような構成であっても、上記実施の形態１と同様の効果を得ることができる。
【００７３】
なお、本実施の形態の構成を採用することによって、例えば、上記所定方向に対して略直交する方向に配置された一対の照明モジュール６の間に、スペーサ７８を介在させることもできる。この場合には、上記所定方向に対して略直交する方向に配置された一対の照明モジュール６の間に、第１の空間８６が形成される。
【００７４】
以上、本発明の実施の形態１〜５に係る照明装置について説明したが、本発明は、これらの実施の形態に限定されるものではない。例えば、上記各実施の形態をそれぞれ組み合わせるとしてもよい。
【００７５】
上記各実施の形態では、上記所定方向に並んで配置された一対の照明モジュールの間に１個、２個又は３個のスペーサを介在させたが、これに限定されず、スペーサの個数は、例えば４個以上でもよい。
【００７６】
上記各実施の形態では、スペーサの一端部にボス部を設けたが、スペーサの他端部にもボス部を設けてもよい。この場合には、スペーサの一端部に設けられたボス部は、上記一対の照明モジュールの一方のヒートシンクに設けられた凹部に挿入され、スペーサの他端部に設けられたボス部は、上記一対の照明モジュールの他方のヒートシンクに設けられた凹部に挿入される。
【００７７】
上記各実施の形態では、トンネル内を照明するための照明装置について説明したが、これに限られず、照明装置は、例えば工場内又は屋外等を照明する照明装置として適用することもできる。照明装置は、屋内又は屋外の壁面に取り付けて設置することもでき、あるいは、屋内の天井から吊り下げて設置することもできる。
【００７８】
上記各実施の形態では、枠体の内側に４個の照明モジュールを２行２列に並べて配置したが、照明モジュールの個数及び配置は適宜設定することができる。
【００７９】
上記各実施の形態では、４個の枠部材を矩形状に組み合わせることにより枠体を構成したが、ケース状の筐体により枠体を構成することもできる。
【産業上の利用可能性】
【００８０】
本発明は、例えばトンネル内等を照明するための照明装置として適用することができる。
【符号の説明】
【００８１】
２，２Ａ  照明装置
４  枠体
４ａ，４ｂ，４ｃ，４ｄ  枠部材
６，６Ｂ，６Ｃ，６Ｄ  照明モジュール
８  支持アーム
１０  電源装置
１２  取付ハンドル
１４，３２，３８，４８，８４  貫通孔
１６  ＬＥＤ
１８  配線基板
２０，２０Ｂ，２０Ｃ，２０Ｄ  ヒートシンク
２２  防塵カバー部材
２４  レンズカバー部材
２６  取付部
２８，６４  放熱フィン
３０，５０  ネジ
３４  ネジ孔
３６  防水ソケット
４０  リード線
４２  ケーブル
４４，４４Ｄ  凹部
４６  通気孔
５２  シール部材
５４  レンズ部
５６  収納凹部
５８  支持部材
６０ａ，６０ｂ，７０，７２  レール
６２  ボルト
６２ａ  頭部
６２ｂ  軸部
６６，６８  支持部
７４  ナットキャップ
７６，８６  第１の空間
７８  スペーサ
７８ａ  ボス部
８０  第２の空間
８２  ブラケット
【図１】
2014175185.tif 000003
【図２】
2014175185.tif 000004
【図３】
2014175185.tif 000005
【図４】
2014175185.tif 000006
【図５】
2014175185.tif 000007
【図６】
2014175185.tif 000008
【図７】
2014175185.tif 000009
【図８】
2014175185.tif 000010
【図９】
2014175185.tif 000011
【図１０】
2014175185.tif 000012
【図１１】
2014175185.tif 000013
【図１２】
2014175185.tif 000014